(57)【要約】【課題】  受け取った紙幣を識別可能な紙幣識別装置であって、敏速かつ容易に紙幣の回収作業を行うことができる作業効率の良い紙幣識別装置を提供する。【解決手段】  紙幣を収納する紙幣収納部３ａと、収納された紙幣を外部に取り出し可能に開口した開口部３ｂとを有する紙幣収納器３と、紙幣収納器３の開口部３ｂを外部から覆う閉塞姿勢と、紙幣収納器３の開口部３ｂを外部に対して露出させる開放姿勢との間で開閉動作可能な遮蔽蓋２とを備え、紙幣収納器３は、遮蔽蓋２が開放姿勢にある状態で、収納された紙幣を開口部３ｂを通して外部に回収可能に構成されている。【選択図】    図３
2005208734.tif 000002
【特許請求の範囲】
【請求項１】
受け取った紙幣を識別可能な紙幣識別装置であって、
紙幣を収納する紙幣収納部と、収納された紙幣を外部に取り出し可能に開口した開口部とを有する紙幣収納器と、
紙幣収納器の開口部を外部から覆う閉塞姿勢と、紙幣収納器の開口部を外部に対して露出させる開放姿勢との間で開閉動作可能な遮蔽蓋と
を備え、
紙幣収納器は、遮蔽蓋が上記開放姿勢にある状態で、収納された紙幣を開口部を通して外部に回収可能に構成されていることを特徴とする紙幣識別装置。
【請求項２】
上記紙幣収納器は、遮蔽蓋に対応する前面部が開放されたハウジングを有する紙幣識別装置本体内に保持され、かつこの紙幣識別装置本体に収納された収納姿勢と、紙幣識別装置本体から開口部を突出させた突出姿勢との間でスライド可能に構成されていることを特徴とする請求項１に記載の紙幣識別装置。
【請求項３】
上記紙幣識別装置本体と紙幣収納器との間に付勢手段と係止手段とを備え、
この付勢手段は、紙幣収納器を、上記収納姿勢から上記突出姿勢へと付勢するものであり、
上記係止手段は、紙幣収納器の収納姿勢を保持する係止状態と係止解除状態とに切り替え可能であることを特徴とする請求項１または請求項２のいずれかに記載の紙幣識別装置。
【請求項４】
上記遮蔽蓋の一端と上記紙幣収納器の開口部との間には、遮蔽蓋が回動する回動軸を有するヒンジ構造が設けられ、
上記係止手段は、紙幣収納器が上記収納姿勢にあり、遮蔽蓋が上記閉塞姿勢にある状態で、遮蔽蓋の他端に設けられた係合部を着脱自在に係止可能であることを特徴とする請求項１ないし請求項３のいずれかに記載の紙幣識別装置。
【請求項５】
上記係止手段は、電磁ソレノイドにより駆動され、外部から紙幣識別装置に与えられた指令もしくは操作に基づき、係合部を係止する係止姿勢から係合部の係止を解除する解除姿勢へと変位可能であることを特徴とする請求項４に記載の紙幣識別装置。
【請求項６】
上記遮蔽蓋と上記紙幣収納器との間には、遮蔽蓋を閉塞姿勢から開放姿勢に付勢する付勢手段と、遮蔽蓋の開放姿勢を概ね遮蔽蓋が水平になるように規制する支持手段とが設けられていることを特徴とする請求項４または請求項５のいずれかに記載の紙幣識別装置。
【発明の詳細な説明】
【技術分野】
【０００１】
本発明は、紙幣を識別するために採用される紙幣識別装置に関するものである。
【背景技術】
【０００２】
例えば、遊技機の台間に設置されるメダル貸し機などにおいて、紙幣を識別するために採用される紙幣識別装置としては、一般にハウジングを有する紙幣識別装置本体に紙幣を収納する紙幣収納部を備えたものが知られている。
【０００３】
例えば、特許文献１には、紙幣認識装置を有する紙幣受け入れ装置と、紙幣払い出し装置と、紙幣収納部として着脱可能なカセット式金庫を備えた紙幣取り扱い装置の技術が開示されている。
【０００４】
この特許文献１に開示された紙幣取り扱い装置は、紙幣を回収して搬送する際の安全性を高めることを目的として、紙幣の回収にあたってカセット式金庫を紙幣取り扱い装置から分離して収集した上でカセット式金庫から紙幣を外部に取り出すように構成されている。
【特許文献１】特開２００２−９２７００号公報
【発明の開示】
【発明が解決しようとする課題】
【０００５】
しかしながら、上述の公報に開示された紙幣識別装置では、このようにカセット式金庫を紙幣取り扱い装置から分離して収集する工程と、紙幣をカセット式金庫から外部に取り出す工程とが必要になるために、紙幣の回収作業に手間取り、作業効率が悪いという問題があった。
【０００６】
本発明は上記不具合に鑑みてなされたものであり、敏速かつ容易に紙幣の回収作業を行うことができる作業効率の良い紙幣識別装置を提供することを課題としている。
【課題を解決するための手段】
【０００７】
上記課題を解決するための本発明は、受け取った紙幣を識別可能な紙幣識別装置であって、紙幣を収納する紙幣収納部と、収納された紙幣を外部に取り出し可能に開口した開口部とを有する紙幣収納器と、紙幣収納器の開口部を外部から覆う閉塞姿勢と、紙幣収納器の開口部を外部に対して露出させる開放姿勢との間で開閉動作可能な遮蔽蓋とを備え、紙幣収納器は、遮蔽蓋が上記開放姿勢にある状態で、収納された紙幣を開口部を通して外部に回収可能に構成されていることを特徴とする紙幣識別装置である。
【０００８】
本発明によれば、遮蔽蓋が、紙幣収納器の開口部を外部から覆う閉塞姿勢と、紙幣収納器の開口部を外部に対して露出させる開放姿勢との間で開閉動作可能であり、この遮蔽蓋が開放姿勢にある状態で、収納された紙幣を紙幣収納器の開口部を通して外部に回収することができるように構成されているので、紙幣収納部を紙幣識別装置から外部に取り出すことなく、収納された紙幣を回収することができる結果、敏速かつ容易に紙幣の回収作業を行うことができる。
【０００９】
上記紙幣収納器は、遮蔽蓋に対応する前面部が開放されたハウジングを有する紙幣識別装置本体内に保持され、かつこの紙幣識別装置本体に収納された収納姿勢と、紙幣識別装置本体から開口部を突出させた突出姿勢との間でスライド可能に構成されていることが好ましい。
【００１０】
このようにすれば、紙幣収納器が収納姿勢と突出姿勢との間でスライド可能に構成されているので、紙幣を回収する際には紙幣収納器を突出姿勢にすることで紙幣収納器の開口部から紙幣を取り出しやすくすることができる結果、より敏速かつ容易に紙幣の回収作業を行うことができる。
【００１１】
上記紙幣識別装置本体と紙幣収納器との間に付勢手段と係止手段とを備え、この付勢手段は、紙幣収納器を、上記収納姿勢から上記突出姿勢へと付勢するものであり、上記係止手段は、紙幣収納器の収納姿勢を保持する係止状態と係止解除状態とに切り替え可能であることが好ましい。
【００１２】
このようにすれば、紙幣識別装置本体と紙幣収納器との間の付勢手段が、紙幣収納器を、収納姿勢から突出姿勢へと付勢するので、わざわざ紙幣収納器を紙幣識別装置本体から引き出す必要がない。また、係止手段が、紙幣収納器の収納姿勢を保持する係止状態と係止解除状態とに切り替え可能であるので、係止手段が、紙幣収納器の係止解除状態に切り替えられると即座に紙幣収納器を突出姿勢に変位させることができる結果、さらに敏速かつ容易に紙幣の回収作業を行うことができる。
【００１３】
上記遮蔽蓋の一端と上記紙幣収納器の開口部との間には、遮蔽蓋が回動する回動軸を有するヒンジ構造が設けられ、上記係止手段は、紙幣収納器が上記収納姿勢にあり、遮蔽蓋が上記閉塞姿勢にある状態で、遮蔽蓋の他端に設けられた係合部を着脱自在に係止可能であることが好ましい。
【００１４】
このようにすれば、遮蔽蓋が紙幣収納器に取り付けられており、係止手段が遮蔽蓋の他端に設けられた係合部を着脱自在に係止することができるので、係止手段が遮蔽蓋の係合部を解除するという一つの操作で、遮蔽蓋を開放姿勢に変位可能にすることと紙幣収納器を収納姿勢から突出姿勢へと変位可能にすることの２つの操作を同時に行うことができる。
【００１５】
上記係止手段は、電磁ソレノイドにより駆動され、外部から紙幣識別装置に与えられた指令もしくは操作に基づき、係合部を係止する係止姿勢から係合部の係止を解除する解除姿勢へと変位可能であることが好ましい。
【００１６】
このようにすれば、外部から紙幣識別装置に与えられた指令もしくは操作に基づき、遮蔽蓋を開放姿勢に変位可能にすることと紙幣収納器を収納姿勢から突出姿勢へと変位可能にすることの２つの操作を同時に行うことができる。特に、多数の紙幣識別装置から紙幣を回収しなければならない場合などは、一つの指令で同時に多数の紙幣識別装置の紙幣収納器を収納姿勢から突出姿勢へと変位させることができるので、紙幣回収の作業効率を著しく改善することができる。
【００１７】
上記遮蔽蓋と上記紙幣収納器との間には、遮蔽蓋を閉塞姿勢から開放姿勢に付勢する付勢手段と、遮蔽蓋の開放姿勢を概ね遮蔽蓋が水平になるように規制する支持手段とが設けられていることが好ましい。
【００１８】
このようにすれば、付勢手段が遮蔽蓋を閉塞姿勢から開放姿勢に付勢するので、係止手段を係止姿勢から解除姿勢へと変位させることにより、即座に遮蔽蓋が開放姿勢に変位する。また、支持手段が遮蔽蓋の開放姿勢を概ね遮蔽蓋が水平になるように規制するので、遮蔽蓋の開放姿勢を安定したものにすることができる。
【発明の効果】
【００１９】
以上説明したように、本発明によれば、受け取った紙幣を識別可能な紙幣識別装置において、敏速かつ容易に紙幣の回収作業を行うことができ、作業効率が改善されるという顕著な効果を奏する。
【発明を実施するための最良の形態】
【００２０】
以下、添付図面を参照しながら本発明の好ましい実施の一形態について詳述する。図１は、本発明の実施の形態に係る紙幣識別装置１０が適用される遊技媒体貸出機２０の構成を示す斜視図である。
【００２１】
図１に示すように、本発明の実施の形態に係る紙幣識別装置１０が適用される遊技媒体貸出機２０は、縦長直方体の形状をしたメダル貸し機であって、図示しないが、遊技機の台間に設置されるものである。この遊技媒体貸出機２０は、本発明に係る紙幣識別装置１０と、ＩＣコイン投入部２１と、メダル払い出し部２２と、ノズルシュート２３と、図略のメダルタンクと制御部とを備えている。さらに、実施形態の遊技媒体貸出機２０は、ＩＣコイン（ＩＣタグをコイン形の担体に担持させたもの）の貯留及びＩＣコインの情報の読取、書き込み等を行うＩＣコイン処理装置（図示せず）を内蔵している。
【００２２】
この遊技媒体貸出機２０は、紙幣識別装置１０の紙幣投入部１１に紙幣が投入されると、紙幣投入部１１の近傍に設けられた図略の紙幣識別部がそれを検知認識して所定の信号を制御部へ出力し、制御部はその信号を受けてメダル払い出し部２２を制御し、メダルタンクに貯留されているメダルをノズルシュート２３から所定枚数だけ払い出す。そして、払い出されたメダルは、ノズルシュート２３を経て、隣接する図略の遊技機の下部に設けられた受け皿に供給されるようになっている。
【００２３】
なお、投入された紙幣の金額から払い出しメダル分の金額を差し引いた残額は、制御部内に記憶される。そして、図外の払い出しボタンの操作によるメダル追加払い出し要求があれば、再度所定枚数のメダルが払い出されるとともに、残額が減らされ、一方、図外のコイン返却ボタンが操作されると、残額が書き込まれたＩＣコインが、ＩＣコイン排出口２４から払いだされるようになっている．また、ＩＣコインがＩＣコイン投入部２１から投入された時も、紙幣が投入された場合に準じ、メダルの払い出しおよび残高の記憶等の処理が行われるようになっている。
【００２４】
図２は、本発明の実施の形態に係る紙幣識別装置１０の構成を示す斜視図であり、図３は、紙幣識別装置１０が、紙幣１（図６）を回収可能な状態にある斜視図である。また、図４は、紙幣識別装置１０の構成を示す側断面図であり、図５は、紙幣識別装置１０が、紙幣を回収可能な状態にある側断面図である。
【００２５】
図２〜図５に示すように、本発明に係る紙幣識別装置１０は、遊技媒体貸出機２０において、紙幣１（図６）を識別するために採用される装置であって、開閉動作可能な遮蔽蓋２を備えている。また、紙幣１を収納する紙幣収納部３ａと、収納された紙幣１を外部に取り出し可能に開口した開口部３ｂとを有する紙幣収納器３を備えている。
【００２６】
上記遮蔽蓋２は、概ね長方形板状の金属製扉状部材であり、遮蔽蓋２の一端と紙幣収納器３の開口部３ｂとの間には回動軸２ａ（図３）を有するヒンジ構造２ｂを有している。この遮蔽蓋２は、回動軸２ａの周りに回動して紙幣収納器３の開口部３ｂを外部から覆う閉塞姿勢と、紙幣収納器３の開口部３ｂを外部に対して露出させる開放姿勢との間で開閉動作することができるように構成されている。
【００２７】
遮蔽蓋２と紙幣収納器３との間には、付勢手段２ｃ（図３）と支持手段２ｄ（図３）とが設けられており、付勢手段２ｃは、スプリングコイルで構成され、遮蔽蓋２を閉塞姿勢から開放姿勢に付勢するようになっている。また、支持手段２ｄは、図４、図５に示すように、紙幣収納器３に設けられたアーム支持部３ｅと遮蔽蓋２に設けられたヒンジ２ｆとに係止された長孔２ｇを有するアーム２ｈで構成され、遮蔽蓋２の開放姿勢を概ね遮蔽蓋２が水平になるように規制している。
【００２８】
上記紙幣収納器３は、収納された紙幣１を開口部３ｂを通して外部に回収可能に構成されている概ね箱状の金属製部材であり、遮蔽蓋２が開放姿勢にある状態で、収納された紙幣１を開口部３ｂを通して外部に回収可能に構成されている。
【００２９】
この紙幣収納器３は、遮蔽蓋２に対応する前面部が開放された金属板製のハウジング４ａを有する紙幣識別装置本体４内にガイド板４ｂとローラ３ｃ（図４、図５）とを介して保持されており、紙幣識別装置本体４に収納された収納姿勢（図２、図４）と、紙幣識別装置本体４から開口部３ｂを突出させた突出姿勢（図３、図５）との間でスライド可能に構成されている。
【００３０】
ここで、紙幣識別装置本体４と紙幣収納器３との間には、図４、図５に示すように、付勢手段３ｄと係止手段５とが設けられており、スプリングコイルからなる付勢手段３ｄは、紙幣収納器３を、収納姿勢から突出姿勢へと付勢している。
【００３１】
また、係止手段５は、紙幣収納器３の収納姿勢を保持する係止状態（図４）と係止解除状態（図５）とに切り替え可能となっている。すなわち、係止手段５は、係止ピン５ａを備え、この係止ピン５ａを進退させることで、紙幣収納器３が収納姿勢にあり、遮蔽蓋２が閉塞姿勢にある状態（図４）で、遮蔽蓋２の他端に設けられた係合部２ｅを着脱自在に係止可能に構成されている。この係止手段５の係止ピン５ａは、カム機構７を介して電磁ソレノイド６により駆動され、外部から紙幣識別装置１０に与えられた指令もしくは操作に基づき、係合部２ｅを係止する係止姿勢（図４）から係合部２ｅの係止を解除する解除姿勢（図５）へと変位可能になっている。
【００３２】
次に図６と、図４および図５とを参照して、本発明の実施の形態に係る紙幣識別装置１０の作用について説明する。
【００３３】
図６は、本発明の実施の形態に係る紙幣識別装置１０の縦断面図であり、（ａ）は、紙幣識別装置１０が、紙幣投入部１１を介して紙幣１を受け入れている状態、（ｂ）は、紙幣識別装置１０の紙幣収納器３に、紙幣１が送り込まれている状態、（ｃ）は、紙幣識別装置１０の紙幣収納器３に、紙幣１が収納された状態をそれぞれ示している。
【００３４】
図６（ａ）に示すように、本発明の実施の形態に係る紙幣識別装置１０においては、紙幣投入部１１を介して紙幣１を外部から受け入れる。この時、受け取った紙幣１は、紙幣投入部１１の近傍に設けられた図略の紙幣識別部がそれを検知認識する。
【００３５】
次に、図６（ｂ）に示すように、紙幣識別装置１０において紙幣識別部の下流側に設けられた紙幣搬送機構８が、紙幣１を紙幣投入部１１から紙幣収納器３の紙幣収納部３ａへと搬送する。
【００３６】
そして、図６（ｃ）に示すように、紙幣１は次々に紙幣収納器３の紙幣収納部３ａに収納される。
【００３７】
図４は、紙幣識別装置１０において、紙幣収納器３が収納姿勢にあり、遮蔽蓋２が閉塞姿勢にある状態で、係止手段５が、紙幣収納器３の収納姿勢を保持する係止状態を示している。
【００３８】
この状態では、紙幣収納器３が、紙幣識別装置本体４に収納され、遮蔽蓋２が紙幣収納器３の開口部３ｂを外部から覆っている。また、係止手段５が、遮蔽蓋２の他端に設けられた係合部２ｅを係止している。
【００３９】
次に、図５は、紙幣識別装置１０が、紙幣１を回収可能な状態を示し、この状態では、外部から紙幣識別装置１０に与えられた指令もしくは操作に基づき、係止手段５が、電磁ソレノイド６により駆動され、係合部２ｅの係止を解除する解除姿勢へと変位している。
【００４０】
これにより、付勢手段３ｄが、紙幣収納器３を、収納姿勢から突出姿勢へと付勢し、遮蔽蓋２が開放姿勢に変位するという２つの操作が同時に行われ、紙幣識別装置本体４から紙幣収納器３の開口部３ｂが突出し、遮蔽蓋２が紙幣収納器３の開口部３ｂを外部に対して露出させる。
【００４１】
この時、支持手段２ｄが遮蔽蓋２の開放姿勢を概ね遮蔽蓋２が水平になるように規制して、遮蔽蓋２の開放姿勢を安定したものにする。
【００４２】
そして、この状態で、紙幣収納器３の開口部３ｂから紙幣１が取り出しやすくなり、紙幣１が開口部３ｂを通して外部に回収される。
【００４３】
以上説明したように、本発明の実施の形態に係る紙幣識別装置１０によれば、遮蔽蓋２が、紙幣収納器３の開口部３ｂを外部から覆う閉塞姿勢と、紙幣収納器３の開口部３ｂを外部に対して露出させる開放姿勢との間で開閉動作可能であり、この遮蔽蓋２が開放姿勢にある状態で、収納された紙幣１を紙幣収納器３の開口部３ｂを通して外部に回収することができるように構成されているので、紙幣収納部３ａを紙幣識別装置１０から外部に取り出すことなく、収納された紙幣１を回収することができる結果、敏速かつ容易に紙幣１の回収作業を行うことができる。
【００４４】
次に、紙幣収納器３が収納姿勢と突出姿勢との間でスライド可能に構成されているので、紙幣を回収する際には紙幣収納器３を突出姿勢にすることで紙幣収納器３の開口部３ｂから紙幣を取り出しやすくすることができる結果、より敏速かつ容易に紙幣の回収作業を行うことができる。
【００４５】
また、紙幣識別装置１０本体と紙幣収納器３との間の付勢手段３ｄが、紙幣収納器３を、収納姿勢から突出姿勢へと付勢するので、わざわざ紙幣収納器３を紙幣識別装置１０本体から引き出す必要がない。また、係止手段５が、紙幣収納器３の収納姿勢を保持する係止状態と係止解除状態とに切り替え可能であるので、係止手段５が、紙幣収納器３の係止解除状態に切り替えられると即座に紙幣収納器３を突出姿勢に変位させることができる結果、さらに敏速かつ容易に紙幣の回収作業を行うことができる。
【００４６】
また、遮蔽蓋２が紙幣収納器３に取り付けられており、係止手段５が遮蔽蓋２の他端に設けられた係合部２ｅを着脱自在に係止することができるので、係止手段５が遮蔽蓋２の係合部２ｅを解除するという一つの操作で、遮蔽蓋２を開放姿勢に変位可能にすることと紙幣収納器３を収納姿勢から突出姿勢へと変位可能にすることの２つの操作を同時に行うことができる。
【００４７】
さらに、本発明の実施の形態に係る紙幣識別装置１０によれば、外部から紙幣識別装置１０に与えられた指令もしくは操作に基づき、遮蔽蓋２を開放姿勢に変位可能にすることと紙幣収納器３を収納姿勢から突出姿勢へと変位可能にすることの２つの操作を同時に行うことができる。特に、多数の紙幣識別装置１０から紙幣を回収しなければならない場合などは、一つの指令で同時に多数の紙幣識別装置１０の紙幣収納器３を収納姿勢から突出姿勢へと変位させることができるので、紙幣回収の作業効率を著しく改善することができる。
【００４８】
そして、付勢手段２ｃが遮蔽蓋２を閉塞姿勢から開放姿勢に付勢するので、係止手段５を係止姿勢から解除姿勢へと変位させることにより、即座に遮蔽蓋２が開放姿勢に変位する。また、支持手段２ｄが遮蔽蓋２の開放姿勢を概ね遮蔽蓋２が水平になるように規制するので、遮蔽蓋２の開放姿勢を安定したものにすることができる。
【００４９】
上述した実施の形態は本発明の好ましい具体例を例示したものに過ぎず、本発明は上述した実施の形態に限定されない。
【００５０】
例えば、本発明の実施の形態に係る紙幣識別装置１０は、メダル貸し機などの遊技媒体貸出機に適用される紙幣識別装置に限定されず、コイン投入部２１、メダル払い出し部２２、ノズルシュート２３、コイン返却口２４などは必須ではない。受け取った紙幣を識別可能な紙幣識別装置であれば、種々の紙幣識別装置が可能である。
【００５１】
また、係止手段５の駆動方法も必ずしも図示のように、係止ピン５ａをカム機構７を介して電磁ソレノイド６により駆動する方式に限定されない。係合部２ｅを係止する係止姿勢から係合部２ｅの係止を解除する解除姿勢へと変位可能に構成されていれば、種々の係止手段が採用可能である。
【００５２】
また、紙幣収納器３は、必ずしも図示のように紙幣識別装置本体４内にガイド板４ｂとローラ３ｃとを介して保持される構成に限定されない。その他のスライド機構が採用可能である。
【００５３】
さらに、紙幣収納器３と遮蔽蓋２との間に設けられる付勢手段２ｃおよび支持手段２ｄや、紙幣収納器３と紙幣識別装置本体４との間に設けられる付勢手段３ｄおよび係止手段５は、必ずしも図示の形状に限定されない。種々の設計変更が可能である。
【００５４】
その他、本発明の特許請求の範囲内で種々の設計変更が可能であることはいうまでもない。
【図面の簡単な説明】
【００５５】
【図１】本発明の実施の形態に係る紙幣識別装置が適用される遊技媒体貸出機の構成を示す斜視図である。
【図２】本発明の実施の形態に係る紙幣識別装置の構成を示す斜視図である。
【図３】紙幣識別装置が、紙幣を回収可能な状態にある斜視図である。
【図４】本発明の実施の形態に係る紙幣識別装置の構成を示す側断面図である。
【図５】紙幣識別装置が、紙幣を回収可能な状態にある側断面図である。
【図６】本発明の実施の形態に係る紙幣識別装置の縦断面図であり、（ａ）は、紙幣識別装置が、紙幣投入部を介して紙幣を受け入れている状態、（ｂ）は、紙幣識別装置の紙幣収納器に、紙幣が送り込まれている状態、（ｃ）は、紙幣識別装置の紙幣収納器に、紙幣が収納された状態をそれぞれ示している。
【符号の説明】
【００５６】
１      紙幣
２      遮蔽蓋
２ａ    回動軸
２ｃ、３ｄ      付勢手段
２ｄ    支持手段
２ｅ    係合部
３      紙幣収納器
３ａ    紙幣収納部
３ｂ    開口部
３ｃ    軸受け部
４      紙幣識別装置本体
４ａ    ハウジング
５      係止手段
６      電磁ソレノイド
１０    紙幣識別装置
【図１】
2005208734.tif 000003
【図２】
2005208734.tif 000004
【図３】
2005208734.tif 000005
【図４】
2005208734.tif 000006
【図５】
2005208734.tif 000007
【図６】
2005208734.tif 000008